(57)【要約】【目的】高信頼度の保守機能及び高い障害箇所特定精度を有する伝送ネットワークを提供することにある。【解決手段】データ伝送路に試験データを送出する試験データ送出部と、データ伝送路を経由した試験データを受信して試験データの異常を検出し、異常内容を表す検出信号を冗長構成の伝送路に送出する試験処理部と、冗長構成の伝送路を介して検出信号を受信する受信部と、を有している。【選択図】図２
2008131139.tif 000002
【特許請求の範囲】
【請求項１】
冗長構成の伝送路を介して音声情報信号の送受信を行う局内多重装置を含む局内音声信号伝送回路及びデータ伝送路を介してデータ信号の送受信を行う局内データ伝送回路を含む局内装置と、前記局内多重装置との間で音声情報信号の送受信を行う加入者多重装置を含む加入者音声信号伝送回路及び前記局内データ伝送回路との間で前記データ信号の送受信を行う加入者データ伝送回路を含む加入者収容装置と、を有する伝送ネットワークであって、
前記データ伝送路に試験データを送出する試験データ送出部と、
前記データ伝送路を経由した試験データを受信して前記試験データの異常を検出し、異常内容を表す検出信号を前記冗長構成の伝送路に送出する試験処理部と、
前記冗長構成の伝送路を介して前記検出信号を受信する受信部と、を有することを特徴とする伝送ネットワーク。
【請求項２】
前記冗長構成の伝送路を経由して前記試験処理部に異常検出指令を送出する異常検出指令部を有することを特徴とする請求項１に記載の伝送ネットワーク。
【請求項３】
前記局内多重装置は前記音声情報信号及び前記データ信号の波長多重分離を行うとともに冗長構成の光伝送路を介して当該波長多重分離信号の送受信を行う局内波長多重分離回路を含み、前記加入者多重装置は前記局内波長多重分離回路と送受信を行う加入者波長多重分離回路を含み、前記試験データ送出部は前記回線試験データを前記データ信号に挿入して送出することを特徴とする請求項１に記載の伝送ネットワーク。
【請求項４】
前記検出信号に基づいて前記冗長構成の光伝送路の切替をなす伝送路切替部を有することを特徴とする請求項３に記載の伝送ネットワーク。
【請求項５】
前記伝送路切替部は、前記音声情報信号及び前記データ信号を異なる光伝送路を経由して伝送するよう切替をなすことを特徴とする請求項４に記載の伝送ネットワーク。
【発明の詳細な説明】
【技術分野】
【０００１】
本発明は、伝送ネットワーク、特に局内加入者収容装置及び遠隔加入者収容装置からなる伝送ネットワークに関する。
【背景技術】
【０００２】
近年、インターネットの普及による加入者光アクセスネットワークの進展に伴い、高速デジタル伝送ネットワーク、並びに加入者を当該伝送ネットワークに接続するための局内加入者収容装置、及び遠隔加入者収容装置などの開発が精力的に進められている（例えば、特許文献１参照）。
【０００３】
図１は、従来の局内装置、遠隔加入者収容装置、及び当該加入者収容装置と局内装置間のネットワーク構成の一例を模式的に示している。
【０００４】
通信キャリア等の局内には加入者回線を収容する局内装置が設けられている。図１に示す従来のネットワークにおいて、デジタル加入者回線（ＤＳＬ：Digital Subscriber Line）を収容する局内加入者収容装置１１０は公衆電話回線網１１等の音声情報ネットワークに接続された電話交換機（ＰＢＸ）等の交換機１４を有している。
【０００５】
局内加入者収容装置（以下、単に局内収容装置という。）１１０は冗長構成のインターフェース、すなわち０系及び１系のハイウエイインターフェース（以下、ＨＷインターフェースと表記する。）を有する。すなわち、交換機１４にはＨＷインターフェース（０系）１５及びＨＷインターフェース（１系）１６が接続されている。ＨＷインターフェース（０系）１５及びＨＷインターフェース（１系）１６は、一方が使用されている場合（運用系又はアクト系である場合）には、他方は待機状態（すなわち、待機系又はスタンバイ系）とされ、障害等の発生時などには正常な伝送系に切り替えられて運用されるようになっている。
【０００６】
さらに、局内収容装置１１０にはＩＰ（Internet Protocol）ネットワーク１２に接続された局内ルータ１７が設けられ、ＩＰネットワーク１２を介したデータ系情報のサービスがなされる。
【０００７】
一方、局内収容装置１１０は局外に設けられた遠隔加入者収容装置１１５と０系及び１系音声系光伝送路（光ファイバ）、及びデータ系光伝送路（光ファイバ）によって双方向的に接続されている。遠隔加入者収容装置１１５は１つ又は複数のユーザである加入者端末装置１９を収容する。そして、局内収容装置１１０は局外の遠隔加入者収容装置１１５に収容された加入者（加入者端末装置１９）にＤＳＬサービスを提供する。
【０００８】
より詳細には、遠隔加入者収容装置１１５は、多重分離部（０系）１２０及び多重分離部（１系）１２１を有している。多重分離部（０系）１２０と局内収容装置１１０のＨＷインターフェース（０系）１５とは下り方向音声系光伝送路（０系）１１１Ａ及び上り方向音声系光伝送路（０系）１１１Ｂの２本の光ファイバで接続されている。同様に、多重分離部（１系）１２１とＨＷインターフェース（１系）１６とは下り方向音声系光伝送路（１系）１１２Ａ及び上り方向音声系光伝送路（１系）１１２Ｂの２本の光ファイバで接続されている。
【０００９】
また、遠隔加入者収容装置１１５には、ＤＳＬ処理部１２５が設けられている。ＤＳＬ処理部１２５と局内ルータ１７とは下り方向データ系光伝送路１１３Ａ及び上り方向データ系光伝送路１１３Ｂの２本の光ファイバで接続されている。
【００１０】
すなわち、局内収容装置１１０及び遠隔加入者収容装置１１５の間には、冗長構成の音声系光伝送路（０系及び１系）について各上り方向及び下り方向で４本の伝送路、そしてデータ系光伝送路について上り方向及び下り方向で２本の伝送路であり、これらを合計すると６本の伝送路が設けられている。
【００１１】
遠隔加入者収容装置１１５には加入者回路部１２２が設けられている。加入者回路部１２２は、多重分離部（０系）１２０及び多重分離部（１系）１２１と加入者端末装置１９との間で、スプリッタ部１２６を介して、音声系情報を送受信する。スプリッタ部１２６は、音声系情報及びデータ系情報を分離又は結合する。
【００１２】
さらに、遠隔加入者収容装置１１５のＤＳＬ処理部１２５は、局内ルータ１７と加入者端末装置１９との間で、スプリッタ部１２６を介して、データ系情報を送受信する。ＤＳＬ処理部１２５は、データ系情報を転送するために必要なヘッダ処理、速度変換等の所定の処理を行う。
【００１３】
加入者端末装置１９は、遠隔加入者収容装置１１５のスプリッタ部１２６との間で、例えばメタリックケーブル等の回線により接続されている。加入者端末装置１９はスプリッタ１９１を有し、当該回線に重畳されて遠隔加入者収容装置１１５のスプリッタ部１２６から送られてきた音声系情報及びデータ系情報を分離する。電話やファクシミリ（FAX）等の音声系情報は音声端末部１９２で処理され、データ系情報はＤＳＬモデム１９３を介して、パーソナルコンピュータ（ＰＣ）等の情報端末部１９４に送られ、処理される。加入者端末装置１９から遠隔加入者収容装置１１５への上り方向の信号についてはこれと逆の処理がなされる。
【００１４】
このような従来構成のネットワークにおいては、伝送ネットワークの保守、管理のための障害遠隔監視機能等の保守機能が設けられている（例えば、非特許文献１参照）。当該保守機能としては、例えば、ループバック試験機能、リンク状態受信機能、リンク状態通知機能、電源断受信機能などがある。かかる保守機能に用いられる障害試験用データ（以下、単に試験データともいう。）は、データ系伝送系を介して送受信され、受信した試験データに基づいて障害遠隔監視を行っている。
【００１５】
しかしながら、かかる構成においては、試験しようとする回線（データ伝送系）を使用して試験指示信号や試験データの送受信を行うため、試験の信頼性が低下したり、障害箇所の特定精度が落ちるという問題があった。
【特許文献１】特開2000−224625号公報（第３頁、図１）
【非特許文献１】沖テクニカルレビュー  2002年10月／第192号Vol.69, No.4
【発明の開示】
【発明が解決しようとする課題】
【００１６】
本発明は、上述した点に鑑みてなされたものであり、その目的とするところは、高信頼度の保守機能及び高い障害箇所特定精度を有する伝送ネットワークを提供することにある。
【課題を解決するための手段】
【００１７】
本発明の伝送ネットワークは、冗長構成の伝送路を介して音声情報信号の送受信を行う局内多重装置を含む局内音声信号伝送回路及びデータ伝送路を介してデータ信号の送受信を行う局内データ伝送回路を含む局内装置と、局内多重装置との間で音声情報信号の送受信を行う加入者多重装置を含む加入者音声信号伝送回路及び局内データ伝送回路との間でデータ信号の送受信を行う加入者データ伝送回路を含む加入者収容装置と、を有する伝送ネットワークであって、データ伝送路に試験データを送出する試験データ送出部と、データ伝送路を経由した試験データを受信して試験データの異常を検出し、異常内容を表す検出信号を冗長構成の伝送路に送出する試験処理部と、冗長構成の伝送路を介して検出信号を受信する受信部と、を有することを特徴としている。
【発明の効果】
【００１８】
二重化され（冗長構成の）信頼性の高い伝送系を経由して試験データ検査指令及び検査結果の伝送が行われるので、データルート試験の信頼性が向上され、また、障害箇所の特定の精度も向上する。
【００１９】
また、ＷＤＭを使用して音声系信号及びデータ系信号を同じ光ファイバで伝送する形態においても、試験データ検査指令及び障害検出結果の確認をより信頼性の高い伝送波長経路を用いて送受信することができるため、データルート試験の信頼性が向上され、障害箇所の特定の精度も向上する。
【００２０】
さらに、データルート試験の試験結果に基づいて、音声系信号及びデータ系信号についての運用伝送系を個別に選択することができ、柔軟な伝送系運用が可能となる。
【発明を実施するための最良の形態】
【００２１】
以下、本発明の実施例を図面を参照しつつ詳細に説明する。尚、以下に説明する図において、実質的に同一又は等価な構成要素、部分には同一の参照符を付している。
【実施例１】
【００２２】
図２は本発明の実施例１である伝送ネットワーク５の構成を模式的に示すブロック図である。すなわち、伝送ネットワーク５における局内装置、遠隔加入者収容装置、及び当該加入者収容装置と局内装置間のネットワーク構成を模式的に示している。
【００２３】
伝送ネットワーク５において、通信キャリア等の局内には加入者回線を収容する局内加入者収容装置１０が設けられている。局内加入者収容装置（以下、単に局内収容装置という。）１０は、公衆電話回線網１１等の音声情報ネットワークに接続された電話交換機（ＰＢＸ）等の交換機１４を有している。
［局内収容装置及び遠隔加入者収容装置の構成］
局内収容装置１０は、公衆電話回線網１１等に接続された音声情報系の伝送系に冗長構成のインターフェースが用いられている。すなわち、０系及び１系のハイウエイインターフェース（以下、ＨＷインターフェースと表記する。）を有する。すなわち、交換機１４には、ＨＷインターフェース（０系）１５及びＨＷインターフェース（１系）１６が接続されている。ＨＷインターフェース（０系）１５及びＨＷインターフェース（１系）１６は、局内音声信号伝送回路として機能する。ＨＷインターフェース（０系）１５及びＨＷインターフェース（１系）１６は、一方が使用されている場合（運用系又はアクト系である場合）には、他方は待機状態（すなわち、待機系又はスタンバイ系である状態）とされ、一方の伝送系に障害が発生した時などには正常な伝送系に切り替えられて運用されるようになっている。
【００２４】
また、局内収容装置１０にはＩＰネットワーク１２に接続された局内ルータ１７が設けられている。局内ルータ１７は、ＩＰパケットの宛先情報に基づいて、ＩＰネットワーク１２及び遠隔加入者収容装置２０間で送受信されるデータ系信号についてルーティング、データ転送を行う。すなわち、局内ルータ１７は、局内データ信号伝送回路として機能する。
【００２５】
また、局内収容装置１０には、試験端末４１に接続された試験インターフェース部４２と、局内試験処理部４３と、が設けられている。試験インターフェース部４２は、ＨＷインターフェース（０系）１５及びＨＷインターフェース（１系）１６と、局内試験処理部４３との間のインターフェースを行う機能を有している。試験端末４１及びインターフェース部４２は、伝送系の試験を行うための試験制御部として機能する。
【００２６】
局内試験処理部４３は、上記したように、局内装置に設置された試験処理部であって、試験データの送出及びチェックを行う。
【００２７】
なお、図２においては、局内試験処理部４３がデータ系伝送路１１３Ａ，１１３Ｂに接続された場合を示しているが、これに限らない。すなわち、局内試験処理部４３は、データ系伝送路と冗長構成の伝送路（音声系伝送路）との間で試験データの送出及び／又は受信を行うことができるように接続されていればよい。例えば、局内試験処理部４３は局内ルータ１７に接続され、局内ルータ１７を介してデータ系伝送路１１３Ａ，１１３Ｂとの間で試験データの送受信を行うことができるように構成されていてもよい。
【００２８】
遠隔加入者収容装置２０は、多重分離部（０系）２１及び多重分離部（１系）２３を有している。多重分離部（０系）２１と局内収容装置１０のＨＷインターフェース（０系）１５とは下り方向音声系光伝送路（０系）１１１Ａ及び上り方向音声系光伝送路（０系）１１１Ｂの２本の光ファイバで接続されている。同様に、多重分離部（１系）２３とＨＷインターフェース（１系）１６とは下り方向音声系光伝送路（１系）１１２Ａ及び上り方向音声系光伝送路（１系）１１２Ｂの２本の光ファイバで接続されている。
【００２９】
また、遠隔加入者収容装置２０には、ＤＳＬ処理部２５が設けられている。ＤＳＬ処理部２５と局内ルータ１７とは下り方向データ系光伝送路１１３Ａ及び上り方向データ系光伝送路１１３Ｂの２本の光ファイバで接続されている。
【００３０】
また、遠隔加入者収容装置２０には、加入者回路部２２、ＤＳＬ処理部２５及びスプリッタ２６が設けられている。
【００３１】
多重分離部（０系）２１と局内収容装置１０のＨＷインターフェース（０系）１５との間では、例えば時分割多重信号が送受信される。すなわち、多重分離部（０系）２１及びＨＷインターフェース（０系）１５は当該時分割多重信号の時分割多重処理及び分離処理を行う。例えば、０系音声伝送系が運用系として用いられる場合には、下り音声系光信号（時分割多重信号）がＨＷインターフェース（０系）１５から多重分離部（０系）２１に送信され、多重分離部（０系）２１において多重分離処理がなされ、加入者ごとの音声情報信号に分離される。当該音声情報信号は加入者回路部２２に供給され、加入者アナログ音声伝送信号に変換され、スプリッタ２６に供給される。また、上り音声系光信号については、多重分離部（０系）２１が時分割多重処理を行い、ＨＷインターフェース（０系）１５が時分割多重分離処理を行う点を除いて同様な伝送処理がなされる。すなわち、多重分離部（０系）２１及びＨＷインターフェース（０系）１５は時分割多重処理及び分離処理に関して、相補的に動作する。
【００３２】
なお、１系音声伝送系が運用系として用いられる場合もその動作は上記した０系音声伝送系の場合と同様である。
【００３３】
一方、下りデータ系光信号は、下り方向データ系光伝送路１１３Ａを経由してＤＳＬ処理部２５に供給され、光−電気変換後、ＤＳＬ処理がなされ、スプリッタ２６に供給される。スプリッタ２６において、音声伝送信号に重畳され、加入者端末装置１９に伝送される。加入者端末装置１９は、メタリックケーブル等の回線を介して受信した信号を音声系情報及びデータ系情報に分離し、それぞれを処理する。
【００３４】
加入者端末装置１９から遠隔加入者収容装置２０への上り方向の音声系情報及びデータ系情報信号については、上記したのと逆の処理がなされる。
【００３５】
また、遠隔加入者収容装置２０には、加入者試験処理部４５が設けられている。すなわち、加入者試験処理部４５は、加入者収容装置２０に設置された試験処理部であって、試験データの送出や、試験検出信号の受信及び検査を行う。加入者試験処理部４５は、多重分離部（０系、１系）２１、２３及び加入者回路部２２を接続する伝送路と、ＤＳＬ処理部２５及びスプリッタ２６を接続する伝送路との間に設けられ（図２）、データ系伝送路の試験処理を行う。
【００３６】
なお、加入者試験処理部４５の接続は図２に示した場合に限らない。すなわち、加入者試験処理部４５は、データ系伝送路と冗長構成の伝送路（音声系伝送路）との間で試験データの送出又は検出信号の受信を行うことができるように接続されていればよい。例えば、加入者試験処理部４５は、多重分離部（０系、１系）２１、２３及び／又はＤＳＬ処理部２５に直接接続され、多重分離部（０系、１系）２１、２３及び／又はＤＳＬ処理部２５を介してデータ系伝送路と冗長構成の伝送路（音声系伝送路）との間で試験データの送出又は検出信号の受信を行うことができるように構成することもできる。
【００３７】
上記した０系伝送系及び１系伝送系の切替えは、局内収容装置１０及び／又は遠隔加入者収容装置２０に設けられた切替制御部（図示しない）によってなされる。例えば、当該音声系電気信号がＳＤＨ（Synchronous Digital Hierarchy）方式のＳＴＭ−ｎ信号である場合、系切替判別部は、そのセクション管理情報（セクションオーバーへッド：ＳＯＨ）にマッピングされ、端局セクション切替え情報（TTC標準JT-G707）を有するＫ１，Ｋ２バイト（b1-b5）をモニタする。
【００３８】
なお、上記した系切替の判別方法は単なる例示に過ぎない。すなわち、ＳＤＨ方式に限らず、他の種々の伝送方式においても、系切替情報（信号）又はそれに相当する信号を用いることが可能である。
【００３９】
このように、音声伝送系は冗長構成によって高信頼性を保っている。一方、データ伝送系は一重構成であり、音声伝送系に比べると信頼性は低い。
［試験動作］
データ伝送系の診断、障害箇所の特定等の試験を行う際には、試験端末４１から試験指示が発せられる。例えば、ユーザの入力操作により、あるいは自動的に試験指示が発せられる。
【００４０】
かかる試験の一例として、下り伝送系を試験するために局内収容装置１０から遠隔加入者収容装置２０に試験データを送信する場合の動作について説明する。
【００４１】
試験端末４１及びインターフェース部４２は、伝送系の試験を行うための試験制御部として機能する。すなわち、試験端末４１からの試験指示に基づいて、試験インターフェース部４２は、局内試験処理部４３に対して、試験データ（試験パケット）を送信することを指示する試験データ送信指令を発する。局内試験処理部４３は、当該試験データ送信指令に応答して、下りデータ系伝送路１１３Ａを介して試験データ（試験パケット）を遠隔加入者収容装置２０に向けて送信する。
【００４２】
試験インターフェース部４２は、試験データ送信指令を行うと同時に、試験データ検査指令（ＴＩ）を冗長構成の（二重化された）音声伝送系に送出する。より具体的には、試験インターフェース部４２は、音声伝送系の信号の特定の試験用タイムスロットに試験データ検査指令を挿入する。当該試験データ検査指令は、通常の音声系情報とともに伝送される。すなわち、当該試験データ検査指令は、運用系の下り音声系伝送路１１１Ａ又は１１２Ａを介して遠隔加入者収容装置２０の多重分離部（０系又は１系）２１又は２３に供給される。
【００４３】
一方、試験パケット（ＴＰ）は、下りデータ系伝送路１１３Ａ及びＤＳＬ処理部２５を経由して加入者試験処理部４５に供給される。加入者試験処理部４５は、冗長構成の伝送系である音声伝送系を介して受信した信号のタイムスロットから試験データ検査指令（ＴＩ）を抽出する。加入者試験処理部４５は、試験データ検査指令の内容に基づいて、ＤＳＬ処理部２５から受信した試験パケットの検査を行い、その検査結果を送出する。つまり、試験パケットの異常を検出して伝送系の障害内容を解析し、その障害内容を表す検出信号（ＣＲ）を生成する。そして、加入者試験処理部４５は、検出信号を音声伝送系の信号の試験用タイムスロットに挿入し、運用系の上り音声系伝送路１１１Ｂ又は１１２Ｂを介し、試験インターフェース部４２にその検査結果（すなわち、検出信号ＣＲ）を通知する。
【００４４】
すなわち、二重化され（冗長構成の）、信頼性の高い伝送系を経由して試験データ検査指令（ＴＩ）が試験処理部に送られるとともに、その試験処理部による検査結果（検出信号ＣＲ）も二重化された信頼性の高い伝送系を経由して伝送される。
【００４５】
なお、図２においては、理解の容易さのため、かかる場合の試験データ検査指令（ＴＩ）、試験パケット（ＴＰ）及び検出信号（ＣＲ）の伝送方向を矢印で示しているが、後述する種々の試験方法、試験ルートにおいて、これらの信号及び指令の伝送方向は当該試験方法に応じて適宜変更されて適用されるのはもちろんである。
【００４６】
試験インターフェース部４２は検出信号（ＣＲ）を受信する受信部を有し、受信した検出信号を試験端末４１用のデータフォーマットに編集して試験端末４１に送信する。試験端末４１は、当該検出信号に示された異常内容に応じた処理、例えば、障害処理、その旨の表示や警報等を行う。
【００４７】
なお、上記したように、試験内容としては種々のものがある。例えば、正常データや偽正常データを送信してそのＣＲＣ（巡回冗長検査：Cyclic Redundancy Check）コードを検査する試験、レイヤ１情報によるリンク状態試験などがある。
【００４８】
また、上記した例においては、局内試験処理部４３から試験パケット（ＴＰ）を下りデータ系伝送路１１３Ａを介して伝送し、加入者試験処理部４５が伝送されてきた試験パケットの異常を検出する場合について説明した。すなわち、局内試験処理部４３が試験データ送出部として機能し、加入者試験処理部４５が異常検出処理をなす試験処理部として機能する場合について説明したが、これに限らない。例えば、この逆に、加入者試験処理部４５が試験データ送出部として機能し、局内試験処理部４３が異常検出処理をなす試験処理部として機能するように構成することもできる。すなわち、加入者試験処理部４５から試験パケットを上りデータ系伝送路１１３Ｂを介して伝送し、局内試験処理部４３が伝送されてきた試験パケットの異常を検出するように構成してもよい。つまり、この場合、試験インターフェース部４２は、加入者試験処理部４５に対して、試験パケットを送信することを指示する試験データ送信指令を発するとともに、試験データ検査指令を音声伝送系を介して局内試験処理部４３に送信するように構成してもよい。なお、試験端末４１及びインターフェース部４２が局内収容装置１０に設けられた場合について説明したが、遠隔加入者収容装置２０に設けるようにしてもよい。
【００４９】
あるいは、一方の試験処理部、例えば、加入者試験処理部４５から試験パケットを上りデータ系伝送路１１３Ｂを介して伝送し、局内試験処理部４３がその試験パケットを折り返し、上り音声系伝送路を経由して加入者試験処理部４５に戻すようにしてもよい。この場合、試験パケットを送信した加入者試験処理部４５が伝送されてきた試験パケットの異常を検出することになる。
【００５０】
なお、上記実施例において、各回路ブロック（図２等）は機能毎に示したものであり、物理的な形態とは一致していなくてもよいことは当然である。
【００５１】
上記したように、二重化され（冗長構成の）信頼性の高い伝送系を経由して試験データ検査指令及び検査結果の伝送が行われるので、データルート試験の信頼性が向上され、また、障害箇所の特定の精度も向上する。
【実施例２】
【００５２】
図３は本発明の実施例２である伝送ネットワーク５の構成を模式的に示すブロック図である。実施例１と異なるのは、それぞれ局内収容装置１０及び遠隔加入者収容装置２０にＷＤＭ（波長多重分離）装置を設け、両装置間の伝送路（光ファイバ）の数を減少させている点である。
［局内収容装置及び遠隔加入者収容装置の構成］
以下に、各装置の構成についてより詳細に説明する。局内収容装置１０には、局内ＷＤＭ（波長多重分離）装置３０が設けられている。局内ＷＤＭ装置３０は、ＨＷインターフェース（０系）１５及びＨＷインターフェース（１系）１６に対応して冗長系の構成を有し、それぞれ局内ＷＤＭ部（０系）３１及び局内ＷＤＭ部（１系）３２が設けられている。（なお、以下においては、単に、ＷＤＭ部３１、３２と略記する場合がある。）すなわち、０系の音声系光信号はＨＷインターフェース（０系）１５及び局内ＷＤＭ部（０系）３１間で送受信され、１系の音声系光信号はＨＷインターフェース（１系）１６及び局内ＷＤＭ部（１系）３２間で送受信される。
【００５３】
また、局内ルータ１７からのデータ系信号である下り光信号はカプラ３３で分配され、ＷＤＭ部（０系）３１及びＷＤＭ部（１系）３２に供給される。ＷＤＭ部（０系）３１及びＷＤＭ部（１系）３２からのデータ系信号である上り光信号はカプラ３４で結合され、局内ルータ１７に供給される。すなわち、０系及び１系伝送系のうち運用系の上り光信号が局内ルータ１７に伝送されるように構成されている。
【００５４】
遠隔加入者収容装置２０には、局内ＷＤＭ装置３０に対応し、局内ＷＤＭ装置３０と相補的に動作する加入者ＷＤＭ装置５０が設けられている。加入者ＷＤＭ装置５０は、加入者ＷＤＭ部（０系）５１及び加入者ＷＤＭ部（１系）５２を有し、それぞれ局内ＷＤＭ部（０系）３１及び局内ＷＤＭ部（１系）３２と０系ＷＤＭ光伝送路１８(0)（光ファイバ：１本）と１系ＷＤＭ光伝送路１８(1)（光ファイバ：１本）によって接続されている。（なお、以下においては、加入者ＷＤＭ部（０系、１系）５１、５２を、単に、ＷＤＭ部５１、５２と略記する場合がある。）
遠隔加入者収容装置２０においても、局内ルータ１７との間のデータ系光信号についても加入者ＷＤＭ部（０系）５１及び加入者ＷＤＭ部（１系）５２に分配されて波長多重分離されるとともに、冗長構成のデータ系伝送系が構成されている。
【００５５】
以下に、０系伝送系が運用系として用いられている場合を例に説明する。局内ＷＤＭ部（０系）３１から０系ＷＤＭ光伝送路１８(0)を介して伝送された下り波長多重信号は、加入者ＷＤＭ部（０系）５１において波長分離され、下り音声系光信号が加入者多重分離部２１に供給される。加入者多重分離部２１において、例えば時分割多重分離処理によって加入者多重分離処理がなされ、加入者ごとの音声情報信号に分離される。
【００５６】
当該音声系信号は加入者回路部２２に供給される。加入者回路部２２において加入者用のアナログ音声伝送信号に処理され、スプリッタ２６に供給される。
【００５７】
一方、加入者ＷＤＭ部（０系）５１において波長分離された下りデータ系光信号はＤＳＬ処理部２５に供給され、光−電気変換後、ＤＳＬ処理によって加入者用のデータ信号に変換され、スプリッタ２６に供給される。スプリッタ２６において音声伝送信号に重畳され、加入者端末装置１９に伝送される。
【００５８】
なお、加入者ＷＤＭ部（０系）５１及び加入者ＷＤＭ部（１系）５２からの下りデータ系光信号はカプラ５３に供給され、ＤＳＬ処理部２５に伝送されるように構成されている、すなわち、０系及び１系伝送系のうち運用系の光信号がＤＳＬ処理部２５に伝送される。また、ＤＳＬ処理部２５からの上りデータ系光信号はカプラ５４で分配され、加入者ＷＤＭ部（０系）５１及び加入者ＷＤＭ部（１系）５２の両方に供給される。すなわち、遠隔加入者収容装置２０及び局内ルータ１７間のデータ系光信号についても加入者ＷＤＭ装置５０のＷＤＭ部（０系）５１及びＷＤＭ部（１系）５２に分配されて波長多重分離がなされるとともに冗長構成のデータ伝送系が構成されている。
【００５９】
加入者端末装置１９は、前述のように、メタリックケーブル等の回線を介して伝送された音声系情報及びデータ系情報をスプリッタ１９１で分離し、音声系情報及びデータ系情報がそれぞれ音声端末部１９２及び情報端末部１９４に送られ、処理される。
【００６０】
加入者端末装置１９から遠隔加入者収容装置２０への上り方向の音声系情報及びデータ系情報信号については、上記したのと逆の処理がなされる。
【００６１】
次に、図４を参照して、局内ＷＤＭ装置３０の構成の一例について、より詳細に説明する。局内ＷＤＭ装置３０のＷＤＭ部（０系）３１は、音声系の波長変換部（０系）３１Ｗを有している。音声系波長変換部３１Ｗは、ＨＷインターフェース（０系）１５との間で波長λpの光信号を送受信する。すなわち、ＨＷインターフェース（０系）１５からの下り方向の音声系光信号（波長λp）は音声系波長変換部（０系）３１Ｗで波長λ1の光信号に変換され、カプラ（０系）３１Ｃに供給され、０系ＷＤＭ光伝送路１８(0)に送出される。
【００６２】
また、０系ＷＤＭ光伝送路１８(0)からの上り方向光信号はカプラ（０系）３１Ｃに供給され、当該光信号の分波により上り方向音声系光信号（波長λ2）が抽出される。この上り方向音声系光信号（波長λ2）は、音声系波長変換部３１Ｗによって波長λpの光信号に変換され、ＨＷインターフェース（０系）１５に供給される。
【００６３】
１系の伝送系についても同様であり、ＨＷインターフェース（１系）１６からの下り方向の音声系光信号（波長λp）は、ＷＤＭ部（１系）３２に設けられた音声系波長変換部３２Ｗで波長λ1の光信号に変換され、カプラ（１系）３２Ｃに供給され、１系ＷＤＭ光伝送路１８(1)に送出される。１系ＷＤＭ光伝送路１８(1)からの上り方向光信号はカプラ（１系）３２Ｃに供給され、当該光信号の分波により上り方向音声系光信号（波長λ2）が抽出される。上り方向音声系光信号（波長λ2）は、音声系波長変換部３２Ｗによって波長λpの光信号に変換され、ＨＷインターフェース（１系）１６に供給される。
【００６４】
一方、局内ルータ１７からの下り方向のデータ系光信号（波長λp）はカプラ３３によって２分岐され、その一方はＷＤＭ部（０系）３１のデータ系波長変換部３１Ｄによって波長λ3の光信号に変換される。そして、当該波長λ3の光信号はカプラ（０系）３１Ｃに供給され、０系ＷＤＭ光伝送路１８(0)に送出される。
【００６５】
カプラ３３によって２分岐されたもう一方の光信号（波長λp）はＷＤＭ部（１系）３２のデータ系波長変換部３２Ｄによって波長λ3の光信号に変換される。そして、当該波長λ3の光信号はカプラ（１系）３２Ｃに供給され、１系ＷＤＭ光伝送路１８(1)に送出される。
【００６６】
また、０系ＷＤＭ光伝送路１８(0)からの上り方向光信号はカプラ（０系）３１Ｃに供給され、当該光信号の分波により上り方向データ系光信号（波長λ4）が抽出される。上り方向データ系光信号（波長λ4）は、データ系波長変換部（０系）３１Ｄによって波長λpの光信号（０系）に変換された後、カプラ３４を介して局内ルータ１７に送出される。
【００６７】
１系の伝送系についても同様であり、１系ＷＤＭ光伝送路１８(1)からの上り方向データ系光信号（波長λ4）はＷＤＭ部（１系）３２のデータ系波長変換部（１系）３２Ｄによって波長λpの光信号（１系）に変換された後、カプラ３４を介して局内ルータ１７に送出される。
【００６８】
遠隔加入者収容装置２０についても同様であり、遠隔加入者収容装置２０の加入者ＷＤＭ装置５０は上記した局内ＷＤＭ装置３０と同様な構成を有し、相補的に動作する。すなわち、加入者ＷＤＭ装置５０は局内ＷＤＭ装置３０に対応し、局内ＷＤＭ装置３０との間でＷＤＭ信号の送受信を行うことができるように構成されている。
［試験動作］
再び、図３を参照して障害監視、試験動作について説明する。データ伝送系の診断、障害箇所の特定を行う際には、試験端末４１から試験指示が発せられる。
【００６９】
かかる試験の一例として、下り伝送系を試験するために局内収容装置１０から遠隔加入者収容装置２０に試験データを送信する場合の動作について説明する。なお、前述のように、試験端末４１及びインターフェース部４２は、伝送系の試験を行うための試験制御部として機能する。
【００７０】
試験インターフェース部４２は、試験端末４１からの試験指示に基づいて、局内試験処理部４３に対して、試験データ（試験パケット）を送信することを指示する試験データ送信指令を発する。局内試験処理部４３は、当該試験データ送信指令に応答して、カプラ３３を経由して試験パケットをＷＤＭ部（０系）３１及びＷＤＭ部（１系）３２に送出する。従って、当該試験パケットは、ＷＤＭ部（０系）３１及びＷＤＭ部（１系）３２において、波長λ3の光信号に変換されて送信される。
【００７１】
試験インターフェース部４２は、試験データ送信指令を行うと同時に、試験データ検査指令を音声伝送系を経由して加入者試験処理部４５に送信する。より具体的には、試験インターフェース部４２は、音声伝送系の信号の特定の試験用タイムスロットで試験データ検査指令を伝送する。
【００７２】
この試験データ検査指令は、他の音声系情報と同様に、局内ＷＤＭ装置３０において波長λ1の光信号に変換され、波長多重信号として０系ＷＤＭ光伝送路１８(0)又は１系ＷＤＭ光伝送路１８(1)を介して遠隔加入者収容装置２０に送信される。そして、当該試験データ検査指令は、遠隔加入者収容装置２０の多重分離部（０系又は１系）２１又は２３に供給される。
【００７３】
一方、試験パケットは、０系ＷＤＭ光伝送路１８(0)又は１系ＷＤＭ光伝送路１８(1)を経由して加入者試験処理部４５に供給される。また、加入者試験処理部４５は、多重分離部（０系又は１系）２１又は２３から受信した音声系信号のタイムスロットから試験データ検査指令を抽出する。加入者試験処理部４５は、当該試験データ検査指令の内容に基づいて、ＤＳＬ処理部２５から受信した試験パケットの検査を行い、その検査結果を送出する。つまり、試験パケットの異常を検出し、障害内容を表す検出信号（ＣＲ）を生成して試験用タイムスロットに挿入する。そして、当該検出信号は、他の上り方向の音声系情報と同様に、加入者ＷＤＭ装置５０において波長λ2の光信号に変換され、０系ＷＤＭ光伝送路１８(0)又は１系ＷＤＭ光伝送路１８(1)、及び局内ＷＤＭ装置３０を経由して試験インターフェース部４２に伝送される。
【００７４】
試験インターフェース部４２は、受信した検出信号を編集して試験端末４１に送信する。試験端末４１は、当該検出信号に示された異常内容に応じた処理、例えば、障害処理、その旨の表示や警報等を行う。
【００７５】
さらに、図４に示すように、音声系信号及びデータ系信号を伝送する伝送系を切り替えるための系切替部４７を設けるようにしてもよい。系切替部４７は、障害内容を表す検出信号（ＣＲ）を受信し、当該検出信号の内容に基づいて、伝送系、光ファイバの運用系の切り替え制御をなす。より具体的には、系切替部４７は、検出信号（ＣＲ）の内容に基づいて、局内ＷＤＭ部（０系）３１及び局内ＷＤＭ部（１系）３２を制御して、音声系信号及びデータ系信号を伝送する伝送系を選択する。例えば、音声系信号及びデータ系信号を異なる伝送系により伝送を行うよう制御するようにしてもよい。例えば、音声系信号については０系ＷＤＭ伝送路１８(0)により伝送を行い、データ系信号については１系ＷＤＭ伝送路１８(1)により伝送を行うように制御する。
【００７６】
上記したように、冗長構成の信頼性の高い伝送系を経由して試験データ検査指令が試験処理部に送られるとともに、その試験処理部による検査結果（検出信号ＣＲ）も冗長構成の信頼性の高い伝送系を経由して通知される。従って、データルート試験の信頼性が向上され、また、障害箇所の特定の精度も向上する。
【００７７】
また、ＷＤＭを使用して音声系信号及びデータ系信号を同じ光ファイバで伝送する形態においても、試験データ検査指令及び障害検出結果の確認をより信頼性の高い伝送波長経路を用いて送受信することができるため、データルート試験の信頼性が向上され、障害箇所の特定の精度も向上する。
【００７８】
さらに、データルート試験の試験結果に基づいて、音声系信号及びデータ系信号についての運用伝送系を個別に選択することができ、柔軟な伝送系運用が可能となる。
【００７９】
以上、詳細に説明したように、本発明によれば、高信頼度の保守機能及び高い障害箇所特定精度を有する伝送ネットワークを提供することができる。
【００８０】
上記した実施例において、上り方向及び下り方向は便宜上設けたものであって、いずれが上り方向又は下り方向であっても構わない。
【００８１】
また、上記した実施例は例示に過ぎない。上記した実施例を適宜改変及び組み合わせて適用することが可能である。
【図面の簡単な説明】
【００８２】
【図１】従来の局内装置、遠隔加入者収容装置、及び当該加入者収容装置と局内装置間のネットワーク構成の一例を模式的に示す図である。
【図２】本発明の実施例１である伝送ネットワークの構成を模式的に示すブロック図である。
【図３】本発明の実施例２である伝送ネットワークの構成を模式的に示すブロック図である。
【図４】局内ＷＤＭ装置の構成の一例を示すブロック図である。
【符号の説明】
【００８３】
１０  局内収容装置
１４  交換機
１５  ＨＷインターフェース（０系）
１６  ＨＷインターフェース（１系）
１７  局内ルータ
１８(0)  ＷＤＭ伝送路（０系）
１８(1)  ＷＤＭ伝送路（１系）
２０  遠隔加入者収容装置
２１  多重分離部（０系）
２３  多重分離部（１系）
３１  局内ＷＤＭ部（０系）
３２  局内ＷＤＭ部（１系）
４１  試験端末
４２  試験インターフェース部
４３  局内試験処理部
４５  加入者試験処理部
４７  系切替部
５１  加入者ＷＤＭ部（０系）
５２  加入者ＷＤＭ部（１系）
１１１Ａ，１１１Ｂ  音声系伝送路（０系）
１１２Ａ，１１２Ｂ  音声系伝送路（１系）
１１３Ａ，１１３Ｂ  データ系伝送路
【図１】
2008131139.tif 000003
【図２】
2008131139.tif 000004
【図３】
2008131139.tif 000005
【図４】
2008131139.tif 000006